(57)【要約】【課題】  箱詰め装置が備える異なる色で発光可能なシグナル表示手段の表示状態を任意に設定とする。【解決手段】  自動運転、一時停止等の複数の動作状態のいずれかで動作する箱詰め装置１がシグナルタワー３８を備えている。シグナルタワー３８は異なる複数の色のうちいずれかで発光可能で、箱詰め装置１が前記複数の動作状態のいずれで動作しているかを前記複数の色のいずれかで表示する。前記複数の動作状態でのシグナルタワー３８の表示状態をタッチスクリーン３２ａで設定する。【選択図】  図１
2020083347.tif 000002
【特許請求の範囲】
【請求項１】
複数の動作状態のいずれかで動作する、箱に物品を詰める箱詰め装置において、
異なる複数の色のうちいずれかで表示可能で、前記箱詰め装置が前記複数の動作状態のいずれで動作しているかを前記複数の色のいずれかで表示するシグナル表示手段と、
前記複数の動作状態での前記シグナル表示手段の表示状態を設定する設定手段とを、
有する箱詰め装置。
【請求項２】
請求項１記載の箱詰め装置において、前記設定手段は、前記シグナル表示手段の複数の色それぞれに、前記複数の動作状態を割り当てる箱詰め装置。
【請求項３】
請求項１または２記載の箱詰め装置において、前記シグナル表示手段は、鳴動手段を有し、前記設定手段は、前記鳴動手段の動作を、前記複数の動作状態のいずれかに割り当てる箱詰め装置。
【請求項４】
請求項１記載の箱詰め装置において、前記設定手段は、タッチパネル式の表示画面を有し、前記表示画面に、前記複数の動作状態と、前記シグナル表示手段の複数の色とを、マトリックス配置し、前記複数の動作状態のうち選択されたものと、前記シグナル表示手段の複数の色のうち選択されたものとの交差位置をタッチすることによって、その交差位置に対応する前記シグナル表示手段の色に、前記交差位置に対応する前記動作状態が割り当てられる箱詰め装置。
【発明の詳細な説明】
【技術分野】
【０００１】
本発明は、物品を箱に詰める箱詰め装置に関し、特に、箱詰め装置の動作状態を表示するシグナル表示手段の設定に関する。
【背景技術】
【０００２】
従来、箱詰め装置の一例が特許文献１に開示されている。この箱詰め装置では、物品移送装置から箱詰めされる一段分の物品が物品載置部材上に移送されると、投下装置が、該物品載置部材を動かして、物品載置部材上の一段分の前記物品を下方に投下する。一時保持装置が有する一対の羽根上に投下装置から投下された物品を受け取って保持し、その後、この保持した物品を一対の羽根が回転して、下方の箱詰め位置にある箱に投下する。このようにして所定回数にわたって同一の箱に物品が投下されると、箱は箱詰め位置から送り出されて、新たな空の箱が箱詰め位置に送り込まれ、上記と同様な動作が繰り返される。物品投下装置と一時保持装置とは、複数の脚を備えるフレームに取り付けられ、１つの脚の頂部には、シグナルタワー（積層信号灯）が取り付けられている。シグナルタワーは、箱詰め位置から箱が送り出されているのに、新たな箱が箱詰め位置に送り込まれず、物品が一時保持装置上に滞留している場合に、点灯して異常の発生を報知する。また、異常が解消された場合に、消灯する。
【先行技術文献】
【特許文献】
【０００３】
【特許文献１】特許第５６１６１０７号公報
【発明の概要】
【発明が解決しようとする課題】
【０００４】
上記の特許文献１の技術では、シグナルタワーの点灯によって異常の発生しか報知することができない。しかし、箱詰め装置では、異常以外にもその動作状態を表示することが望ましい。また、シグナルタワーは、異なる色によって点灯可能である。従って、各動作状態を異なる色で表示することが望ましい。しかも、その設定は、箱詰め装置の使用企業の仕様に対応したものであることが望ましい。
【０００５】
本発明は、箱詰め装置が備える異なる色で発光可能なシグナル表示手段の表示状態を任意に設定とすることを目的とする。
【課題を解決するための手段】
【０００６】
本発明の一態様の箱詰め装置は箱に物品を詰めるもので、複数の動作状態のいずれかで動作する。複数の動作状態としては、例えば自動運転状態、一時停止状態、箱詰め異常の警報状態、箱詰め動作の要注意状態、自動運転開始遅延状態等がある。前記箱詰め装置が前記複数の動作状態のいずれで動作しているかをシグナル表示手段が選択された色で表示する。シグナル表示手段は、複数の色のうち選択されたものが表示状態となるもので、表示状態としては、例えば点灯または点滅がある。前記複数の動作状態での前記シグナル表示手段の表示状態を、設定手段が設定する。
【０００７】
このように構成された箱詰め装置では、箱詰め装置の動作状態に応じて、シグナル表示手段が特定の色の表示状態となる。この表示状態は、箱詰め装置の使用者が設定手段を操作することによって任意に設定することができる。
【０００８】
上記の態様の箱詰め装置において、前記設定手段は、前記シグナル表示手段の複数の色それぞれに、前記複数の動作状態を割り当てる。このように構成すると、各色に、異なる動作状態を割り当てて、表示された色によって動作状態を把握することができるし、その表示される色と動作状態とは、箱詰め装置の使用者の仕様や箱詰め装置の周囲環境に応じて任意に設定することができる。
【０００９】
上記の両態様のいずれかにおいて、前記シグナル表示手段は、鳴動手段も有するものとすることができる。鳴動手段は、単一の鳴動状態とすることもできるし、複数の互いに異なる鳴動状態とすることもできる。この場合、前記設定手段は、前記鳴動手段の動作を、前記複数の動作状態のいずれかに割り当てる。このように構成すると、視覚以外にも聴覚によっても動作状態を使用者が確認することができ、またいずれの動作状態で鳴動手段を動作させるかも、使用者がその仕様や箱詰め装置の周囲環境に応じて任意に設定することができる。
【００１０】
上記の態様において、前記設定手段は、タッチパネル式の表示画面を有するものとすることができる。この場合、前記表示画面に、前記複数の動作状態と、前記シグナル表示手段の複数の色とが、マトリックス配置されている。前記複数の動作状態のうち選択されたものと、前記シグナル表示手段の複数の色のうち選択されたものとの交差位置をタッチすることによって、その交差位置に対応する前記シグナル表示手段の色に、前記交差位置に対応する前記動作状態が割り当てられる。このように構成すると、タッチパネルに使用者がタッチするだけで、容易に設定を行うことができる。
【発明の効果】
【００１１】
以上のように、本発明によれば、箱詰め装置の複数の動作状態を、それぞれシグナル表示手段の表示状態に任意に設定することができ、使用者の仕様
や箱詰め装置の周囲環境に応じた表示状態とすることができる。
【図面の簡単な説明】
【００１２】
【図１】本発明の１実施形態の箱詰め装置の概略構成図である。
【図２】図１の箱詰め装置のブロック図である。
【図３】図１の箱詰め装置の指示計の表示画面を示す図である。
【図４】図１の箱詰め装置の指示計でのシグナルタワーの設定のフローチャートである。
【図５】図１の箱詰め装置におけるシグナルタワーの制御のフローチャートである。
【発明を実施するための形態】
【００１３】
本発明の１実施形態の箱詰め装置１は、図１に示すように、供給コンベア２から順次供給される物品４を、所定個数、例えば４個整列させて、整列コンベア６が整列位置８まで搬送する。整列位置８にある４個の物品４を整列状態のまま、床板１２上に配置した止め部材１４に当接するまで押し出し装置１０が押し出す。床板１２上に押し出された物品４に、止め部材１４と反対側に配置した押さえ装置１６が当接し、止め部材１４と押さえ装置１６とが整列状態の物品４を位置決めする。位置決めされた物品４を位置決め方向と直交する方向から挟圧装置１８が挟圧した状態で、床板１２が床開閉装置２０によって開かれる。床板１２の下方には、搬送コンベア２２から外装箱昇降装置２４によって上昇させられた外装箱２６が配置されている。この外装箱２６内に、開かれた床板１２を介して押し込み装置２８が物品４を押し込む。この物品４が箱詰めされた外装箱２６は、搬送コンベア２２上に降下させられ、搬送コンベア２２によって搬送される。さらに、制御装置３０と、指示計３２とが設けられている。
【００１４】
図２に示すように、制御部３０は、供給コンベア２、整列コンベア６、押し出し装置１０、押さえ装置１６、床開閉装置２０、搬送コンベア２２及び外装箱昇降装置２４を、異常検知センサ３４や物品取り込み位置検出装置３６の検出結果に基づいて制御する。その制御に関連する指示が指示計３２から制御装置３０に供給される。
【００１５】
指示計３２は、設定手段及び表示手段として、タッチパネル式の表示画面、例えば液晶タッチスクリーン３２ａを有し、この箱詰め装置１の日常の運転やメンテナンス作業に必要な、上述した各装置への各操作及び各種設定を液晶タッチスクリーン３２ａの画面上で行うことができる。また、この箱詰め装置１での故障発生時の故障内容の説明や、その故障への対処方法が、タッチスクリーン３２ａ上に表示される。
【００１６】
この箱詰め装置１では、図２に示すように、シグナル表示手段、例えばシグナルタワー３８も備えており、制御部３０によって制御される。シグナルタワー３８は、複数の色のうち指定された色での発光が可能なもので、例えば緑、黄及び赤での発光が可能で、その発光も点灯または点滅のいずれか指定されたもので行うことができる。シグナルタワー３８は、さらに鳴動手段、例えばブザーを備え、このブザーは、複数の鳴動音、例えば異なる２種類の音色のブザー音１、２のうち指定されたもので鳴動可能である。
【００１７】
このシグナルタワー３８をどのようなときに、どのように動作させるかも、指示計３２のタッチスクリーン３２ａ上で設定することができる。図３はシグナルタワー３８の設定用にタッチスクリーン３２ａ上に表示される設定画面を示している。この設定画面には、複数の縦の行と、複数の横の列とからなるマトリックス形式の表４０が表示されている。この表４０では、運転条件として、例えば自動運転中、一時停止、警報、注意及び自動運転開始の５つの字句が左端の列に表示されている。自動運転中は、箱詰め装置１が運転モードで本運転に入ったことを表している。一時停止は、運転モードに入っているが、運転を一時的に停止させていることを表している。警報は、異常が発生して箱詰め装置１が停止していることを表している。注意は、不具合が発生した異常による停止ではないが、箱詰め装置１の操作者に不具合個所の確認を求めることを表し、例えば外装箱の供給部における残数が減少したような場合が該当する。自動運転開始一時遅延は、運転開始操作後に即運転状態に入らずに、操作者に対して安全確認等の時間を設けていることを表している。運転条件は、上記のものに限らず、種々のものを使用できる。
【００１８】
また、表示状態として、一番の上の行に、表示色としての緑、黄及び赤の文字が表示され、さらにブザーの字句がその横に表示されている。各色の文字の下の行には、表示態様として点灯と点滅との字句がそれぞれ表示されている。また、ブザーの字句の下の行には、ブザー音１、２に対応して１、２の文字が表示されている。
【００１９】
例えば、シグナルタワー３８を、自動運転中には緑色で点灯させる場合、自動運転中が属する行と、緑色の点灯が属する列との交差位置を、設定者がタッチする。これによって、その交差位置の表示がタッチされたことを示すために、その表示色が変わり、タッチされたように制御部３０に設定される。同様に、一時停止の行と黄色の点灯との交差位置がタッチされると、その交差位置の表示色が変化し、制御部３０に、一時停止時には黄色が点灯するように設定される。警報の行と赤の点灯の列との交差位置と、警報の行とブザー１の列との交差位置がそれぞれタッチされると、各交差位置の表示色が変化し、制御部３０に、警報時に赤が点灯し、ブザー音１でブザーが鳴動するように設定される。また、注意の行と黄色の点滅の列との交差位置と、注意の行とブザーの２の列との交差位置とがそれぞれタッチされると、各交差位置の表示色が変化し、制御部３０に、注意時にはシグナルタワー３８が黄色で点滅し、ブザー音２でブザーが鳴動するように設定される。自動運転開始遅延の行と黄色の点滅との交差位置と、自動運転開始遅延の行とブザー音２の列との交差位置とがそれぞれタッチされると、各交差位置の表示色が変化し、制御部３０に、自動運転開始遅延時にはシグナルタワー３８が黄色で点滅し、ブザー音２で鳴動するように設定される。
【００２０】
図３に示す設定は、一例であって、設定者が、その仕様や、この箱詰め装置１の周囲環境等に応じて任意に設定することができる。例えば、自動運転中には、黄色の点滅でシグナルタワー３８を表示するように設定することもできる。また、運転条件や色は、上記のものに限ったものではなく、制御部３０での操作によって、任意に追加または変更することができる。
【００２１】
図３に示すように、上記の設定の他に、点滅のタイミングを定める点滅タイマの値が表示窓４２に表示されており、これをタッチすることによって任意の値に変更することができる。また、初期値と表示された釦４４も表示されており、これをタッチすることによって、各動作条件についてのシグナルタワー３８の表示色や表示態様やブザーの鳴動態様について、この箱詰め装置１のメーカーが出荷時に予め定めた初期値に設定を変更することができる。また、このタッチパネル３２ａの表示をホーム画面に戻すための戻るの文字が表示された釦４６も表示されている。
【００２２】
図４は、シグナルタワー３８の表示設定のためにタッチスクリーン３２ａが操作されたときに、指示計３２が行う処理を示したもので、まず、タッチスクリーン３２ａにおけるタッチされた位置が属する行に対応する運転条件が決定される（ステップＳ２）。次に、タッチスクリーン３２ａにおけるタッチされた位置が属する列に対応する表示色の表示態様またはブザー音を決定する（ステップＳ４）。決定された運転条件と決定された表示色の表示態様またはブザー音とを対応させたテーブルを作成して指示計３２内の記憶部に記憶させる（ステップＳ６）。なお、ステップＳ４を先に実行し、その後にステップＳ２を実行することもできる。
【００２３】
図５は、運転状態に応じて制御部３０がシグナルタワー３８を制御するために行う処理を示したもので、指示計３２の記憶部から上述したテーブルが制御部３０に送らている。制御部３０では、まず現在の運転条件が、自動運転中、一時停止、警報、注意、自動運転開始遅延のいずれに該当するかを、上記テーブルを基に判断する（ステップＳ８）。そして、判断された運転条件に対応する表示色での表示態様、ブザー音を、制御部３０内の記憶部から読み出し、その読み出しに従ってシグナルタワー３８を制御する（ステップＳ１０、Ｓ１２、Ｓ１４、Ｓ１６、Ｓ１８）。
【００２４】
このように、この箱詰め装置１によれば、タッチスクリーン３２ａにおいて操作することによって、どの運転条件に対応して、シグナルタワー３８がどのような表示色でどのような表示態様で表示するかや、どの運転条件に対応してシグナルタワー３８に付属するブザーがどのような音色で鳴動するかを、任意に設定することができる。
【００２５】
上記の実施形態では、指示計３２はタッチスクリーン３２ａを有するものを示したが、これに限ったものではなく、例えば液晶の表示画面と、設定用のキーとを、指示計３２に設置し、これらによって、どの運転条件に対応して、シグナルタワー３８がどのような表示色でどのような表示態様で表示するかや、どの運転条件に対応してシグナルタワー３８に付属するブザーがどのような音色で鳴動するかを設定するようにすることもできる。シグナルタワー３８は、緑、黄及び赤のいずれかの色で表示するものを示したが、他の色を表示するものを使用することもできる。また、ブザーは２種類の音色のいずれかで鳴動するものを示したが、１種類の音色だけで鳴動するものも、３種類以上の音色のいずれかで鳴動するものを使用することもできる。
【符号の説明】
【００２６】
１  箱詰め装置
３０  制御部
３２  指示計（設定手段）
【図１】
2020083347.tif 000003
【図２】
2020083347.tif 000004
【図３】
2020083347.tif 000005
【図４】
2020083347.tif 000006
【図５】
2020083347.tif 000007